(57)【特許請求の範囲】
【請求項１】
密閉容器（１ａ）内に設けられる低段側圧縮機構（１）と、
前記低段側圧縮機構の吐出側に直列に接続され、密閉容器（２ａ）内に設けられる高段側圧縮機構（２）と、
前記高段側圧縮機構（２）の吐出側に接続される放熱器（３）と、
前記放熱器（３）の出口側に接続され、前記放熱器（３）を流出した冷媒を減圧する減圧装置（６）と、
前記減圧装置（６）で減圧された冷媒が流入して蒸発し、前記低段側圧縮機構（１）の吸入側に連通する蒸発器（８）と、
前記低段側圧縮機構（１）及び前記高段側圧縮機構（２）の回転数を制御する制御装置（５０）と、
を備える複数段圧縮式冷凍サイクル装置（１００）であって、
前記制御装置（５０）は、当該複数段圧縮式冷凍サイクル装置（１００）を起動する際に、前記低段側圧縮機構（１）及び前記高段側圧縮機構（２）の運転を、最大能力を発揮する最大回転数よりも低速の回転数で開始し、段階的に回転数を上昇させ、
当該複数段圧縮式冷凍サイクル装置（１００）を起動する際に、前記高段側圧縮機構（２）を前記低段側圧縮機構（１）よりも先行して起動し、
前記高段側圧縮機構（２）の起動後、前記低段側圧縮機構（１）が設けられる前記密閉容器（１ａ）内の圧力が予め定めた圧力値を下回っていると判定したときは前記低段側圧縮機構（１）を起動することを特徴とする複数段圧縮式冷凍サイクル装置。
【請求項２】
さらに、前記放熱器（３）から流出した冷媒を分流し、分流した一方の冷媒を中間圧に減圧する中間圧用減圧装置（７）と、
前記中間圧用減圧装置（７）によって中間圧に減圧された冷媒と前記分流した他方の冷媒とを熱交換する内部熱交換器（５）と、を備え、
前記中間圧用減圧装置（７）によって中間圧に減圧された冷媒を前記内部熱交換器（５）で熱交換した後、前記高段側圧縮機構（２）の吸入側に吸入させることを特徴とする請求項１に記載の複数段圧縮式冷凍サイクル装置。
【請求項３】
前記高段側圧縮機構（２）から吐出された冷媒からオイルを分離し、前記高段側圧縮機構（２）の吸入側に戻す油分離器（１１）を備えることを特徴とする請求項１または２に記載の複数段圧縮式冷凍サイクル装置。
【請求項４】
前記低段側圧縮機構（１）が設けられる前記密閉容器（１ａ）の内部と、前記高段側圧縮機構（２）が設けられる前記密閉容器（２ａ）の内部とを連通し、前記高段側圧縮機構（２）側でオーバーフローしたオイルを前記低段側圧縮機構（１）側へ供給する均油回路（１２）を備えることを特徴とする請求項１から３のいずれか一項に記載の複数段圧縮式冷凍サイクル装置。
【発明の詳細な説明】
【技術分野】
【０００１】
本発明は、複数段の圧縮機構を備えた複数段圧縮式冷凍サイクル装置に関する。
【背景技術】
【０００２】
複数段の圧縮機構を備えた複数段圧縮式冷凍サイクル装置の一例として、特許文献１に記載の二段圧縮式冷凍装置が知られている。特許文献１の二段圧縮式冷凍装置は、低段側圧縮機、高段側圧縮機、油分離器、凝縮器、減圧装置、及び蒸発器を環状に接続して冷凍サイクルを構成し、さらに低段側圧縮機と高段側圧縮機は開閉弁を有する油配管にて接続されている。この構成により、高段側圧縮機から流出して油分離器で分離されたオイルを高段側圧縮機に戻し、高段側圧縮機で所定量以上となったオイルを油配管を介して高段側圧縮機から低段側圧縮機に戻すようにする。
【先行技術文献】
【特許文献】
【０００３】
【特許文献１】特許第３１５２４５号公報
【発明の概要】
【発明が解決しようとする課題】
【０００４】
上記特許文献１の装置では、上述のように圧縮機を流出したオイルを戻す手段が提案されているが、そもそも圧縮機から流出するオイルを抑制する手段については考慮されていない。また、油分離器で分離されて高段側圧縮機に戻ったオイルが油配管を通って所定量戻るのに時間を要すると、圧縮機内部のオイルが不足した状態での運転が繰り返されることによって、圧縮機の摺動部が磨耗し、故障に至ることがある。
【０００５】
また、特許文献１の装置では、圧縮機内部に溜まっている冷媒が多いときに圧縮機を起動すると、圧縮機から冷媒とオイルが大量に吐出され、油分離器で分離する能力を超え、分離できなかったオイルが下流の冷媒通路に流出することがある。これにより、圧縮機内部のオイルが不足した状態で運転が行われ、圧縮機の摺動部が磨耗し、故障に至ることがある。
【０００６】
そこで、本発明は上記問題点に鑑みてなされたものであり、圧縮機からのオイル流出の抑制を図る複数段圧縮式冷凍サイクル装置を提供することを目的とする。
【課題を解決するための手段】
【０００７】
上記目的を達成するために以下の技術的手段を採用する。すなわち、請求項１に記載の発明は、密閉容器（１ａ）内に設けられる低段側圧縮機構（１）と、低段側圧縮機構の吐出側に直列に接続され、密閉容器（２ａ）内に設けられる高段側圧縮機構（２）と、高段側圧縮機構（２）の吐出側に接続される放熱器（３）と、放熱器（３）の出口側に接続され、放熱器（３）を流出した冷媒を減圧する減圧装置（６）と、減圧装置（６）で減圧された冷媒が流入して蒸発し、低段側圧縮機構（１）の吸入側に連通する蒸発器（８）と、低段側圧縮機構（１）及び高段側圧縮機構（２）の回転数を制御する制御装置（５０）と、を備える複数段圧縮式冷凍サイクル装置（１００）に係る発明であって、
制御装置（５０）は、当該複数段圧縮式冷凍サイクル装置（１００）を起動する際に、低段側圧縮機構（１）及び高段側圧縮機構（２）の運転を、最大能力を発揮する最大回転数よりも低速の回転数で開始し、段階的に回転数を上昇させ、
当該複数段圧縮式冷凍サイクル装置（１００）を起動する際に、高段側圧縮機構（２）を低段側圧縮機構（１）よりも先行して起動し、
高段側圧縮機構（２）の起動後、低段側圧縮機構（１）が設けられる密閉容器（１ａ）内の圧力が予め定めた圧力値を下回っていると判定したときは低段側圧縮機構（１）を起動することを特徴とする。
【０００８】
この発明によれば、複数段圧縮式冷凍サイクル装置を起動する際に、低段側圧縮機構及び高段側圧縮機構の各運転を最大回転数よりも低速の回転数で開始し、段階的に回転数を上昇させて最大回転数にもっていく。この制御によれば、密閉容器内部に冷媒が停留しているときに起動が行われた場合、回転子の回転に伴うオイルの巻き上げを抑制できるとともに、低段側圧縮機構側の内部圧力を緩やかに低下させて、停留中の冷媒の蒸発を抑制することができる。したがって、圧縮機からのオイル流出の抑制を図れ、オイル不足による圧縮機構の摺動部磨耗を防止することができる。
【００１２】
さらにこの発明によれば、高段側圧縮機構を低段側圧縮機構よりも先に起動することにより、低段側圧縮機構側の内部圧力を早く低下させて停留中の冷媒の蒸発を早めることができる。このように停留中の冷媒の蒸発を早めても、低段側圧縮機構は停止しているため、外部にオイルが流出することはない。そして、低段側圧縮機構を起動するタイミングを低段側圧縮機構側の内部圧力が予め定めた圧力値未満であるときとすることにより、実験や経験則から、冷媒蒸発の進行度合いがオイル流出の問題がないレベルに至っていると判断できる圧力レベルを採用して、低段側圧縮機構を起動させることができる。したがって、適切に低段側圧縮機構を起動させることができ、可能な限り早い圧縮機構の立ち上げとオイル流出の抑制とを両立する制御を提供できる。
【００１７】
請求項２の発明は、請求項１に記載の発明において、放熱器（３）から流出した冷媒を分流し、分流した一方の冷媒を中間圧に減圧する中間圧用減圧装置（７）と、中間圧用減圧装置（７）によって中間圧に減圧された冷媒と前記分流した他方の冷媒とを熱交換する内部熱交換器（５）と、を備え、
当該中間圧に減圧された冷媒を内部熱交換器（５）で熱交換した後、高段側圧縮機構（２）の吸入側に吸入させることを特徴とする。
【００１８】
この発明によれば、中間圧用減圧装置によって中間圧に減圧された冷媒を放熱器から流出た高圧の冷媒と内部熱交換器で熱交換させることにより、高圧の冷媒から吸熱し、放熱器から流れ出た冷媒を過冷却することで、冷凍能力を向上させることができる。
【００１９】
請求項３の発明は、請求項１または２に記載の発明において、高段側圧縮機構（２）から吐出された冷媒からオイルを分離し、高段側圧縮機構（２）の吸入側に戻す油分離器（１１）を備えることを特徴とする。
【００２０】
この発明によれば、圧縮機構の容器内から外部に流出してしまったオイルを油分離器によって高段側圧縮機構に戻すことができるため、上記発明の低段側圧縮機構及び高段側圧縮機構の段階的回転数増加の制御を補完して、オイル不足による圧縮機構の摺動部磨耗を防止することができる。
【００２１】
請求項４の発明は、請求項１から３のいずれか一項に記載の発明において、低段側圧縮機構（１）が設けられる密閉容器（１ａ）の内部と、高段側圧縮機構（２）が設けられる密閉容器（２ａ）の内部とを連通し、高段側圧縮機構（２）側でオーバーフローしたオイルを低段側圧縮機構（１）側へ供給する均油回路（１２）を備えることを特徴とする。
【００２２】
この発明によれば、高段側圧縮機構側にオイルが偏り過ぎないように低段側圧縮機構側にもオイルを供給できるため、上記発明の低段側圧縮機構及び高段側圧縮機構の段階的回転数増加の制御を補完して、オイル不足による圧縮機構の摺動部磨耗を防止することができる。
【００２５】
なお、上記各手段の括弧内の符号は、後述する実施形態に記載の具体的手段との対応関係を示している。
【図面の簡単な説明】
【００２６】
【図１】本発明を適用する第１実施形態に係る複数段圧縮式冷凍サイクル装置の構成を示す模式図である。
【図２】複数段圧縮式冷凍サイクル装置が備える圧縮機の概略構成の一例を示す模式図である。
【図３】第１実施形態における複数段圧縮式冷凍サイクル装置を起動する際の制御方法を説明するための図である。
【図４】第１実施形態における複数段圧縮式冷凍サイクル装置を起動する際の他の制御方法を説明するための図である。
【図５】第２実施形態における複数段圧縮式冷凍サイクル装置を起動する際の制御方法を説明するための図である。
【図６】第３実施形態における複数段圧縮式冷凍サイクル装置を起動する際の制御方法を説明するための図である。
【図７】第４実施形態における複数段圧縮式冷凍サイクル装置を起動する際の制御方法を説明するためのフローチャートである。
【図８】第５実施形態における複数段圧縮式冷凍サイクル装置を起動する際の制御方法を説明するためのフローチャートである。
【図９】第６実施形態に係る複数段圧縮式冷凍サイクル装置の構成を示す模式図である。
【図１０】第７実施形態に係る複数段圧縮式冷凍サイクル装置の構成を示す模式図である。
【図１１】第８実施形態に係る複数段圧縮式冷凍サイクル装置の構成を示す模式図である。
【図１２】第９実施形態に係る複数段圧縮式冷凍サイクル装置の構成を示す模式図である。
【図１３】その他の形態に係る複数段圧縮式冷凍サイクル装置の構成を示す模式図である。
【図１４】その他の形態に係る複数段圧縮式冷凍サイクル装置の構成を示す模式図である。
【発明を実施するための形態】
【００２７】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示してなくとも実施形態同士を部分的に組み合わせることも可能である。
【００２８】
（第１実施形態）
本発明を適用した第１実施形態を以下に図１〜図４を参照して説明する。図１は第１実施形態に係る複数段圧縮式冷凍サイクル装置の構成を示す模式図である。
【００２９】
第１実施形態の複数段圧縮式冷凍サイクル装置１００は、冷媒圧力を二段に昇圧する二段昇圧式冷凍サイクル装置であり、冷凍機用として好適であり、例えば、コンテナ用冷凍機に用いることができる。複数段圧縮式冷凍サイクル装置１００は、図１に示すように、圧縮機として低段側圧縮機１と高段側圧縮機２を備え、放熱器３、内部熱交換器５、第１膨張弁６（減圧装置）、及び蒸発器８を環状に配管接続して構成されている。さらに複数段圧縮式冷凍サイクル装置１００は、高段側圧縮機２の吸入側と低段側圧縮機１の吐出側とを接続する配管と放熱器３の出口側配管とを連絡する戻り通路１０に、第２膨張弁７（中間圧用減圧装置）を備えている。冷媒は、例えば二酸化炭素を主成分とする熱媒体であり、この場合、複数段圧縮式冷凍サイクル装置１００は、高圧側の冷媒圧力が冷媒の臨界圧力以上にまでなる蒸気圧縮式の超臨界冷凍サイクルを構成する。
【００３０】
低段側圧縮機１は、その吐出部が高段側圧縮機２の吸入部に配管接続される低段側圧縮機構であり、低圧冷媒を吸入し、中間圧力になるまで圧縮して高段側圧縮機２に吐出する。高段側圧縮機２は、低段側圧縮機１の吐出側に連結される高段側圧縮機構であり、低段側圧縮機１から吐出された中間圧力の冷媒を吸入し、高圧冷媒になるまで圧縮して放熱器３に吐出する。
【００３１】
低段側圧縮機１及び高段側圧縮機２のそれぞれは、制御装置５０によって回転数が自在に制御可能に構成されている。それぞれの圧縮機は、制御装置５０によって回転数が制御されることにより、冷媒吐出量を調整することができる。低段側圧縮機１は、インバータ４０により周波数が調整された交流電圧が印加されてその電動機部１ｂの回転速度が制御される。高段側圧縮機２は、インバータ４１により周波数が調整された交流電圧が印加されてその電動機部２ｂの回転速度が制御される。この場合、インバータ４０，４１は、バッテリまたは電源から直流電源または交流電源の供給を受け、制御装置５０により制御される。
【００３２】
図２は、低段側圧縮機１、高段側圧縮機２の概略構成の一例を示す模式図である。例えば、低段側圧縮機１及び高段側圧縮機２は、図２に示すように、同様の構造を有するロータリー圧縮機である。低段側圧縮機１は、密閉容器１ａと、密閉容器１ａの内部に配置されたインナーロータ式の電動機部１ｂと、密閉容器１ａの内部に配置された圧縮機構部１ｃと、から主に構成されている。高段側圧縮機２は、密閉容器２ａと、密閉容器２ａの内部に配置されたインナーロータ式の電動機部２ｂと、密閉容器２ａの内部に配置された圧縮機構部２ｃと、から主に構成されている。電動機部１ｂ，２ｂは、密閉容器１ａの内部において、圧縮機構部１ｃ，２ｃよりも上方に位置している。
【００３３】
圧縮機構部１ｃ，２ｃは、中心軸を中心に回転可能なシャフト１ｃ１，２ｃ１と、シャフト１ｃ１，２ｃ１の偏心軸で嵌合され、シャフト１ｃ１，２ｃ１の回転に伴いシリンダの円筒内部で偏心回転運動を行うローラと、ローラに先端を接しながらシリンダのベーン溝の内部を往復運動するベーンと、シリンダの両端面を挟み持ちシャフト１ｃ１，２ｃ１を回転自在に支えるジャーナル軸受とから構成される。圧縮機構部１ｃ，２ｃは、シリンダの周囲に形成された支持部により密閉容器１ａ，２ａに固定される。インナーロータ式の電動機部１ｂ，２ｂは、密閉容器１ａ，２ａの内部に溶接された円筒形状の固定子１ｂ１，２ｂ１と、シャフト１ｃ１，２ｃ１に焼きばめされた円柱形状の回転子１ｂ２，２ｂ２で構成される。固定子１ｂ１，２ｂ１は、中心軸方向に積層された電磁鋼板とコイルで構成される。
【００３４】
低段側圧縮機１及び高段側圧縮機２を流れる作動流体は、吸入管１ｄ，２ｄからシリンダの吸入孔を通じて、圧縮機構部１ｃ，２ｃの圧縮室に導かれる。固定子１ｂ１，２ｂ１のコイルに通電して発生した磁界と、回転子１ｂ２，２ｂ２の永久磁石の磁界とが相互に作用して生じたトルクは、回転子１ｂ２，２ｂ２を回転駆動し、シャフト１ｃ１，２ｃ１を介してローラを偏心回転運動させ、圧縮室の容積が変化して作動流体を圧縮する。圧縮された作動流体は、吐出孔の吐出弁が開くと、密閉容器１ａ，２ａの内部を経て、吐出管１ｅ，２ｅより密閉容器１ａ，２ａの外部に吐出される。
【００３５】
図１に示す複数段圧縮式冷凍サイクル装置１００において、蒸発器８にて、送風機９により供給される空気との間で熱交換して気化したガスは低段側圧縮機１に吸入される。低段側圧縮機１によって中間圧力まで加圧されて吐出された冷媒ガスは、戻り通路１０に流入して第２膨張弁７で中間圧力に減圧された後、内部熱交換器５で放熱器３を流出した残余の冷媒と熱交換して加熱された冷媒と混合した後、高段側圧縮機２に吸入される。
【００３６】
高段側圧縮機２によって吐出圧力まで加圧された高圧の冷媒ガスは、放熱器３に流入し、送風機４により供給される空気との熱交換により放熱して冷却される。放熱器３を流出した冷媒は、その一部が戻り通路１０に流入し、残余の冷媒は第１膨張弁６に向かって流れるように分流する。戻り通路１０に流入した冷媒は、第２膨張弁７で中間圧力に減圧された後、放熱器３を流出した残余の冷媒と内部熱交換器５で熱交換される。第１膨張弁６に向かって流れる残余の冷媒は、第２膨張弁７で中間圧力に減圧された冷媒と内部熱交換器５で熱交換することにより冷却されてから第１膨張弁６に流入する。そして、第１膨張弁６で減圧された冷媒は、蒸発器８で蒸発して送風機９により供給される空気から吸熱し、低段側圧縮機１に吸入される。
【００３７】
なお、送風機４及び送風機９のそれぞれは、制御装置５０によってファンモータ４ａ，９ａの回転数が制御されることで放熱器３、蒸発器８に供給する空気の風量を調整可能に構成されている。
【００３８】
制御装置５０は、主に複数段圧縮式冷凍サイクル装置１００の作動を制御する装置であり、リモートコントローラ上の各種スイッチからの信号、冷媒圧力、冷媒温度、空気温度等を検出する各種検出器等からの通信信号が入力される入力回路と、入力回路からの信号を用いて各種演算を実行するマイクロコンピュータと、マイクロコンピュータによる演算にしたがって低段側圧縮機１、高段側圧縮機２、ファンモータ４ａ，９ａ等の作動を制御する通信信号を出力する出力回路と、を備えている。マイクロコンピュータは、記憶手段としてＲＯＭまたはＲＡＭを内蔵し、あらかじめ設定された制御プログラムや更新可能な制御プログラムを有している。
【００３９】
複数段圧縮式冷凍サイクル装置では、冷凍サイクル装置が停止した状態で放置されると、周囲温度変化等の影響によって、圧縮機内部へ冷媒が溜まる、いわゆる寝込む状態となる。この状態で圧縮機内部は、潤滑作用を有するオイルと冷媒とが混合した状態になる。図２に破線で示したラインは、圧縮機内部での、冷媒及びオイルの混合液体の液面を示しており、当該液面は圧縮機構部１ｃ，２ｃが濡れる位置まで満たされている。
【００４０】
この冷媒が寝込む状態が進んで顕著になると、圧縮機内部の液量が増加し、圧縮機内部に貯留する混合液体の液面が、図２の二点鎖線で示すように、電動機部１ｂ，２ｂに達するようになる。この状態で複数段圧縮式冷凍サイクル装置を起動すると、電動機部１ｂ，２ｂの回転子１ｂ２，２ｂ２の回転によって、冷媒と混ざっているオイルが巻き上げられ、巻き上げられたオイルは上方の吐出管１ｅ，２ｅから圧縮機の外部へ流出し、サイクル内の冷媒通路に存在するようになる。
【００４１】
さらに、複数段圧縮式冷凍サイクル装置では、前述する所定の中間圧力が得られる出力で低段側圧縮機を起動した場合（図３（ａ）の破線で図示する「従来の起動方法」の圧縮機回転数）、低段側圧縮機内部の圧力は、起動前の、高段側圧縮機内部の圧力と低段側圧縮機内部の圧力とがバランスする状態から、急激に低下するようになる。この急激な圧力低下により、低段側圧縮機内部に貯留する冷媒が蒸発して、混合液に含まれるオイルを巻き上げることになる。圧縮機内部の冷媒が蒸発することにより、混合液体の液面が波立ち、さらに蒸発が起こりやすくなり、オイルがミストとなって圧縮機外部に流出しやすくなる。したがって、このような低段側圧縮機内部の圧力低下現象によっても、圧縮機外部へのオイル流出が発生するのである。なお、この場合の圧縮機内部の圧力低下は、図３（ｂ）の破線で図示するようになる。以上のように、圧縮機外部へのオイル流出により、圧縮機内部のオイルが不足した状態で運転が行われると、圧縮機の摺動部が磨耗し、故障を引き起こすことになる。
【００４２】
そこで、本実施形態の複数段圧縮式冷凍サイクル装置１００では、圧縮機外部へのオイル流出を抑制するために、特徴的な制御を行っている。以下に複数段圧縮式冷凍サイクル装置１００を起動する際の制御方法について、図３を参照して説明する。図３（ａ）に破線で示すように、従来の圧縮機の起動方法は、圧縮機の起動の際に、冷凍サイクル装置を運転するために必要とする所定の出力レベル（定常運転時の出力レベル）で運転を開始する。したがって、圧縮機の回転数は、急激に立ち上がり、すぐに当該所定の出力レベルを発揮する回転数Ｎｍ（定常運転時の目標回転数）に達し、以後一定の回転数で運転を継続する。このような従来の起動方法では、図３（ｂ）に破線で示すように、各圧縮機内部の圧力は、動作時間ｔ＝０のときのバランスする状態から急激な傾き（変化率）をもって、低段側圧縮機１の場合は低下し、高段側圧縮機２の場合は上昇するようになる。この低段側圧縮機１の内部圧力の低下により、上述したように、混合液に含まれるオイルの巻き上げ現象が発生して、圧縮機外部へのオイルが流出するのである。
【００４３】
複数段圧縮式冷凍サイクル装置１００は、圧縮機の起動の際に、冷凍サイクル装置を運転するために必要とする所定の出力レベル（定常運転時の出力レベル）に到達するまでの間に、当該所定の出力レベルを発揮する回転数Ｎｍよりも小さい回転数Ｎ１、Ｎ２を段階的に（ステップ状に）経てから回転数Ｎｍに達するように、低段側圧縮機１及び高段側圧縮機２を制御する。つまり、図３（ａ）に実線で示すように、低段側圧縮機１及び高段側圧縮機２は、第１の回転数Ｎ１を第１の所定時間継続し、次に第２の回転数Ｎ２に増速してこれを第２の所定時間継続し、そして最終的な回転数Ｎｍに到達するように、制御装置５０によって制御される。
【００４４】
このような段階的回転数増加による特徴的な起動方法では、図３（ｂ）に実線で示すように、圧縮機回転数の緩やかな立ち上がりにより、各圧縮機内部の圧力は、動作時間ｔ＝０のときのバランスする状態から、従来の起動方法よりも緩やかな傾き（変化率）をもって、低段側圧縮機１の場合は低下し、高段側圧縮機２の場合は上昇するようになる。この低段側圧縮機１の内部圧力の緩やかな低下によって、圧縮機内部での冷媒の蒸発が抑制されるので、混合液に含まれるオイルの巻き上げ現象を抑制し、圧縮機外部へのオイル流出を低減することができる。
【００４５】
また、複数段圧縮式冷凍サイクル装置１００を起動する際の制御方法は、図４に実線で図示する回転数制御によるものであってもよい。この回転数制御によれば、図３に実線で図示する起動方法と同様の作用効果を奏する。この起動方法では、圧縮機の出力を交互にＯＮ、ＯＦＦすることにより、回転数がパルス状に変移するようになる。制御装置５０は、ＯＦＦ時間に対するＯＮ時間を変化させることやＯＮ時間での回転数値を変化させることによって、ＯＮ、ＯＦＦ切り替え時間における平均回転数を調整することができる。このパルス状の回転数変移によれば、第１の回転数Ｎ１に相当する平均回転数となり、図３で図示する段階的な回転数制御と同様の回転数制御を提供することができる。
【００４６】
以下に、第１実施形態の複数段圧縮式冷凍サイクル装置１００がもたらす作用効果について説明する。複数段圧縮式冷凍サイクル装置１００によれば、制御装置５０は、複数段圧縮式冷凍サイクル装置１００を起動する際に、低段側圧縮機１及び高段側圧縮機２の運転を、最大能力を発揮する最大回転数よりも低速の回転数で開始し、段階的に回転数を上昇させ、最大回転数に達するように制御する。
【００４７】
この制御によれば、複数段圧縮式冷凍サイクル装置１００を起動する際に、低段側圧縮機１及び高段側圧縮機２の各運転を最大回転数よりも低速の回転数で開始し、段階的に回転数を上昇させて最大回転数にもっていく。これにより、密閉容器１ａ，２ａ内部に冷媒が停留しているときに起動が行われた場合、回転子１ｂ２，２ｂ２の回転に伴うオイルの巻き上げを抑制できるとともに、低段側圧縮機１の内部圧力を緩やかに低下させて、停留中の冷媒の蒸発を抑制することができる。したがって、低段側圧縮機１からのオイル流出の抑制を図れ、オイル不足による圧縮機の摺動部磨耗を防止することができる。
【００４８】
また、本実施形態の起動制御によれば、低段側圧縮機１の内部圧力を低下させるための、外部のポンプや減圧装置を必要としないで、圧縮機外部へのオイル流出を抑制することができる。したがって、従来のサイクル構成に対して部品増加等によるコスト上昇を防止することができる。
【００４９】
（第２実施形態）
第２実施形態では、圧縮機外部へのオイル流出を抑制するために、複数段圧縮式冷凍サイクル装置１００の起動の際に行う圧縮機に係る特徴的な制御について、第１実施形態と異なる制御を説明する。第２実施形態は、以下に特に説明しない実施形態、例えば、構成、各部の作動、作用効果等については第１実施形態と同様である。
【００５０】
以下、第２実施形態の複数段圧縮式冷凍サイクル装置１００を起動する際の制御方法について、図５を参照して説明する。複数段圧縮式冷凍サイクル装置１００は、低段側圧縮機１及び高段側圧縮機２の起動の際に、それぞれの圧縮機について、個別に回転数制御を実施する。すなわち、低段側圧縮機１については、冷凍サイクル装置を運転するために必要とする所定の出力レベル（定常運転時の出力レベル）に到達するまでの間に、当該所定の出力レベルを発揮する回転数Ｎｍよりも小さい回転数ＮＬ１、ＮＬ２を段階的に（ステップ状に）経てから回転数Ｎｍに達するように制御する。また高段側圧縮機２については、冷凍サイクル装置を運転するために必要とする所定の出力レベルに到達するまでの間に、当該所定の出力レベルを発揮する回転数Ｎｍよりも小さい回転数ＮＨ１、ＮＨ２を段階的に（ステップ状に）経てから回転数Ｎｍに達するように制御する。
【００５１】
つまり、図５（ａ）に実線で示すように、低段側圧縮機１は、第１の回転数ＮＬ１を予め定めた第１の低段用所定時間継続し、次に第２の回転数ＮＬ２に増速してこれを予め定めた第２の低段用所定時間継続し、そして最終的な回転数Ｎｍに到達するように、制御装置５０によって制御される。高段側圧縮機２は、第１の回転数ＮＨ１を予め定めた第１の高段用所定時間継続し、次に第２の回転数ＮＨ２に増速してこれを予め定めた第２の高段用所定時間継続し、そして最終的な回転数Ｎｍに到達するように、制御装置５０によって制御される。このように、ＮＬ１とＮＨ１は異なる回転数であり、ＮＬ２とＮＨ２は異なる回転数となるように設定されている。また、第１の低段用所定時間と第１の高段用所定時間は、同一であってもよいし、異なる時間であってもよい。同様に第２の低段用所定時間と第２の高段用所定時間は、同一であってもよいし、異なる時間であってもよい。
【００５２】
このような低段側圧縮機１と高段側圧縮機２の回転数を同一でなく個別に制御する特徴的な起動方法によれば、図５（ｂ）に実線で示すように、各圧縮機内の圧力変動を任意に制御できるため、各圧縮機内部の圧力は、動作時間ｔ＝０のときのバランスする状態から、さらに緩やかな傾き（変化率）をもって、低段側圧縮機１の場合は低下させ、高段側圧縮機２の場合は上昇させることができる。この低段側圧縮機１の内部圧力のさらなる緩やかな低下によって、圧縮機内部での冷媒の蒸発を抑制できるので、混合液に含まれるオイルの巻き上げ現象を抑制し、圧縮機外部へのオイル流出の低減が図れる。
【００５３】
（第３実施形態）
第３実施形態では、圧縮機外部へのオイル流出を抑制するために、複数段圧縮式冷凍サイクル装置１００の起動の際に行う圧縮機に係る特徴的な制御について、第１実施形態と異なる制御を説明する。第３実施形態は、以下に特に説明しない実施形態、例えば、構成、各部の作動、作用効果等については第１実施形態と同様である。
【００５４】
以下、第３実施形態の複数段圧縮式冷凍サイクル装置１００を起動する際の制御方法について、図６を参照して説明する。複数段圧縮式冷凍サイクル装置１００は、低段側圧縮機１及び高段側圧縮機２の起動の際に、それぞれの圧縮機について、第２実施形態に記載の「個別の回転数制御」に加え、複数段圧縮式冷凍サイクル装置１００の駆動開始時に高段側圧縮機２のみを駆動し、低段側圧縮機１は所定の停止時間ｔ２、停止し、ｔ２経過後に駆動開始する制御を実施する。この所定の停止時間ｔ２が経過したか否かを判定することは、低段側圧縮機１の停止終了条件が成立したか否かを判定することである。したがって、所定の停止時間ｔ２が経過することは、低段側圧縮機１の停止終了条件が成立したことになる。
【００５５】
すなわち、図６（ａ）に実線で示すように、低段側圧縮機１については、複数段圧縮式冷凍サイクル装置１００の駆動開始から所定の停止時間ｔ２が経過してから駆動開始して第１の回転数ＮＬ１に増速し、時間ｔ４が経過すると第２の回転数に増速するように制御装置５０によって制御する。高段側圧縮機２については、複数段圧縮式冷凍サイクル装置１００の駆動開始とともに、第１の回転数ＮＨ１で立ち上げ、この回転数を駆動開始から所定時間ｔ１が経過してから第２の回転数ＮＨ２に増速し、駆動開始から時間ｔ３が経過すると最終的な回転数Ｎｍに増速するように制御装置５０によって制御する。このときＮＬ１とＮＨ１、及びＮＬ２とＮＨ２は、異なる回転数でもよいし、同一の回転数であってもよい。
【００５６】
このような圧縮機の回転数制御による特徴的な起動方法によれば、高段側圧縮機２を低段側圧縮機１に先行させて駆動開始することで、低段側圧縮機１内の冷媒圧力を低下させることができ、低段側圧縮機１を駆動する前に低段側圧縮機１内の寝込んだ冷媒をすばやく蒸発させることができる。この蒸発過程では、低段側圧縮機１は停止しているため、オイルを巻き上げるようなことはない。これにより、低段側圧縮機１は、圧縮機内の寝込んだ冷媒が蒸発した後に起動するため、冷媒蒸発によるオイル流出を抑制し、圧縮機外部へのオイル流出の低減が図れる。
【００５７】
また、低段側圧縮機１の停止終了条件の成立時を、予め定めた低段側圧縮機１の停止時間ｔ２の経過時とすることにより、実験や経験則に基づいて適正に決定した停止時間を採用して、低段側圧縮機１を起動させることができる。したがって、可能な限り早い圧縮機構の立ち上げとオイル流出の抑制とを両立する制御を提供できる。
【００５８】
（第４実施形態）
第４実施形態では、圧縮機外部へのオイル流出を抑制するために、複数段圧縮式冷凍サイクル装置１００の起動の際に行う圧縮機に係る特徴的な制御について、第３実施形態と異なる制御を説明する。第４実施形態で説明する制御では、第３実施形態の制御に加えて、所定の停止時間ｔ１が経過する前に、低段側圧縮機１の停止処理終了条件が成立した場合には、停止時間ｔ１の経過を待たずに低段側圧縮機１の停止処理を解除して、低段側圧縮機１を第１の回転数ＮＬ１で立ち上げるようにする。第４実施形態は、以下に特に説明しない実施形態、例えば、構成、各部の作動、作用効果等については第１実施形態及び第３実施形態と同様である。
【００５９】
以下、第４実施形態の複数段圧縮式冷凍サイクル装置１００を起動する際の制御方法について、図７のフローチャートを参照して説明する。本制御は、低段側圧縮機１及び高段側圧縮機２を最終的な回転数で駆動するまでの起動制御であり、複数段圧縮式冷凍サイクル装置１００の起動指令があると開始する。まず、ステップ１０で高段側圧縮機２について第１の低速運転（第１の回転数ＮＨ１に立ち上げる運転）を開始する処理を実行し、ステップ２０で低段側圧縮機１について停止処理を実行する。
【００６０】
次にステップ３０で、低段側圧縮機１の停止処理終了条件が成立したか否かを判定する。この停止処理終了条件が成立した場合とは、低段側圧縮機１内部の圧力が予め定めた圧力未満となった場合である。この所定の圧力は、実験データ及び経験則から、この圧力未満になったときに低段側圧縮機１内部の冷媒の蒸発が完了したと想定される圧力に設定される。つまり、所定の圧力未満とは、実験や経験則から、冷媒蒸発の進行度合いがオイル流出の問題がないレベルに至っていると判断できる圧力ベルである。
【００６１】
次にステップ３０で、停止処理終了条件が成立していると判定すると、ステップ４０で低段側圧縮機１について第１の低速運転（第１の回転数ＮＬ１に立ち上げる運転）を開始する処理を実行する。
【００６２】
一方、ステップ３０で停止処理終了条件がまだ成立していないと判定すると、次にステップ３５で複数段圧縮式冷凍サイクル装置１００の起動後、所定の停止時間ｔ１が経過したか否かを判定する。ステップ３５でｔ１がまだ経過していないと判定すると、再びステップ３０に戻る。ステップ３５でｔ１が経過していると判定すると、ステップ４０で低段側圧縮機１について第１の低速運転（第１の回転数ＮＬ１に立ち上げる運転）を開始する処理を実行する。
【００６３】
このように、低段側圧縮機１について所定の停止時間ｔ１の経過前であっても、ステップ３０で停止処理終了条件が成立していると判定した場合は、低段側圧縮機１の起動前に低段側圧縮機１内部の冷媒の蒸発が完了したと想定できるため、低段側圧縮機１を所定の停止時間ｔ１の経過前に起動するのである。この制御によれば、圧縮機外部へのオイルの流出を抑制するとともに、低段側圧縮機１の定常運転を早めることができる。したがって、オイル不足による圧縮機の損傷、故障を防止するとともに、所望の能力を早期に発揮できる複数段圧縮式冷凍サイクル装置１００を提供できる。
【００６４】
ステップ４０で低段側圧縮機１を第１の低速運転で起動すると、ステップ５０で複数段圧縮式冷凍サイクル装置１００の起動後、所定時間ｔ２が経過したか否かを判定する。この処理はｔ２が経過するまで繰り返される。ステップ５０で、２が経過したと判定すると、ステップ６０に進み、高段側圧縮機２を第２の低速運転（第２の回転数ＮＨ２に増速する運転）に増速する処理を実行する。
【００６５】
次にステップ７０で複数段圧縮式冷凍サイクル装置１００の起動後、所定時間ｔ３が経過したか否かを判定する。この処理はｔ３が経過するまで繰り返される。ステップ７０でｔ３が経過したと判定すると、ステップ８０に進み、低段側圧縮機１を上限速度に増速する処理を実行する。
【００６６】
さらにステップ９０で複数段圧縮式冷凍サイクル装置１００の起動後、所定時間ｔ４が経過したか否かを判定する。この処理はｔ４が経過するまで繰り返される。ステップ９０でｔ４が経過したと判定すると、ステップ１００に進み、高段側圧縮機２を上限速度に増速する処理を実行し、本制御を終了する。
【００６７】
（第５実施形態）
第５実施形態では、圧縮機外部へのオイル流出を抑制するために、複数段圧縮式冷凍サイクル装置１００の起動の際に行う圧縮機に係る特徴的な制御について、第１実施形態と異なる制御を説明する。第５実施形態は、以下に特に説明しない実施形態、例えば、構成、各部の作動、作用効果等については第１実施形態と同様である。
【００６８】
以下、第５実施形態の複数段圧縮式冷凍サイクル装置１００を起動する際の制御方法について、図８を参照して説明する。複数段圧縮式冷凍サイクル装置１００においては、圧縮機の起動の際に、冷凍サイクル装置を運転するために必要とする所定の出力レベル（定常運転時の出力レベル）に到達するまでの間に、ゆっくりと増速させる第１の増速運転域と、第１の増速運転域よりも回転数増加率が大きい第２の増速運転域とを経て、当該所定の出力レベルを発揮する回転数Ｎｍに達するように、低段側圧縮機１及び高段側圧縮機２を制御装置５０によって制御する。
【００６９】
具体的には、図８（ａ）に実線で示すように、第１の増速運転域は、回転数０から回転数Ｎ１に時間ｔ１を要して非常にゆっくりと増速させる運転域であり、第２の増速運転域は、回転数Ｎ１から回転数Ｎ２に時間ｔ２を要して第１の増速運転域よりも早く増速させる運転域である。すなわち、第１の増速運転域は、Ｎ１／ｔ１となる回転数増加率であり、第２の増速運転域は、（Ｎ２−Ｎ１）／（ｔ２−ｔ１）となる回転数増加率である。
【００７０】
このように回転数の増速変化率が最初に小さい運転域で開始し、その後に大きな運転域を経て、最終的な回転数Ｎｍにもってくる特徴的な起動方法では、図８（ｂ）に実線で示すように、圧縮機回転数の緩やかな立ち上がりにより、各圧縮機内部の圧力は、動作時間ｔ＝０のときのバランスする状態から、従来の起動方法よりも緩やかな傾き（変化率）をもって、低段側圧縮機１の場合は低下し、高段側圧縮機２の場合は上昇するようになる。この低段側圧縮機１の内部圧力の緩やかな低下によって、圧縮機内部での冷媒の蒸発が抑制されるので、混合液に含まれるオイルの巻き上げ現象を抑制し、圧縮機外部へのオイル流出を低減することができる。
【００７１】
（第６実施形態）
第６実施形態に係る複数段圧縮式冷凍サイクル装置１００Ａは、第１実施形態の複数段圧縮式冷凍サイクル装置１００に対して、油分離器１１とオイル戻り通路１１ａとを備える形態である。第６実施形態は、以下に特に説明しない実施形態、例えば、構成、各部の作動、作用効果等については第１実施形態と同様である。図９は、第６実施形態に係る複数段圧縮式冷凍サイクル装置１００Ａの概略構成を示す模式図である。
【００７２】
図９に示すように、油分離器１１は、高段側圧縮機２の吐出部と放熱器３の入口部の間に設けられ、オイル戻り通路１１ａは、油分離器１１で分離した冷媒ガス中のオイルを高段側圧縮機２の吸入部に戻す通路である。高段側圧縮機２で高圧に加圧された冷媒ガスは、油分離器１１によってガス中のオイルを分離した後、放熱器３に入り冷却される。
【００７３】
油分離器１１で分離されたオイルは、オイル戻り通路１１ａを通って高段側圧縮機２の吸入側に戻り、低段側圧縮機１で中間圧力に加圧された冷媒と、放熱器３で放熱した後、第２膨張弁７で中間圧力に減圧されて戻り通路１０を通って戻ってきた冷媒と混ざり合って、高段側圧縮機２に吸入される。したがって、本実施形態の冷凍サイクル装置よれば、高段側圧縮機２の内部に所定量のオイルを確保することができるのである。したがって、圧縮機構の容器内から外部に流出してしまったオイルを油分離器１１によって高段側圧縮機２に戻すことができるため、前述の低段側圧縮機１及び高段側圧縮機２における段階的回転数増加の制御を補完する構造により、オイル不足による圧縮機構の摺動部磨耗を防止できる。
【００７４】
（第７実施形態）
第７実施形態に係る複数段圧縮式冷凍サイクル装置１００Ｂは、第６実施形態の複数段圧縮式冷凍サイクル装置１００Ａに対して、均油回路１２を備える形態である。第７実施形態は、以下に特に説明しない実施形態、例えば、構成、各部の作動、作用効果等については第１実施形態及び第６実施形態と同様である。図１０は、第７実施形態に係る複数段圧縮式冷凍サイクル装置１００Ｂの概略構成を示す模式図である。
【００７５】
図１０に示すように、均油回路１２は、低段側圧縮機１内部と高段側圧縮機２内部とを接続する連通路を構成する。当該連通路の高段側圧縮機２との接続部は、高段側圧縮機２内部において調整すべき液面高さとなる高さ位置に設定されている。これにより、高段側圧縮機２の内部でオーバーフローしたオイルは、均油回路１２を構成する連通路によって高段側圧縮機２の外部に流出し、低段側圧縮機１の内部に供給される。これにより、高段側圧縮機２における余分なオイル量を低段側圧縮機１に返油できる構造により、低段側圧縮機１と高段側圧縮機２のオイルバランスを良好な状態に保つことが可能になる。したがって、高段側圧縮機２側にオイルが偏り過ぎないように低段側圧縮機１側にもオイルを供給できるため、前述の低段側圧縮機１及び高段側圧縮機２における段階的回転数増加の制御を補完する構造により、オイル不足による圧縮機構の摺動部磨耗を防止できる。
【００７６】
（第８実施形態）
第８実施形態に係る複数段圧縮式冷凍サイクル装置１００Ｃは、第１実施形態の複数段圧縮式冷凍サイクル装置１００の１個の低段側圧縮機１の代わりに、直列に接続された第１の低段側圧縮機１Ａと第２の低段側圧縮機１Ｂを備える形態である。第８実施形態は、以下に特に説明しない実施形態、例えば、構成、各部の作動、作用効果等については第１実施形態と同様である。図１１は、第８実施形態に係る複数段圧縮式冷凍サイクル装置１００Ｃの概略構成を示す模式図である。
【００７７】
図１１に示すように、第１の低段側圧縮機１Ａは、その吐出部が高段側圧縮機２の吸入部に配管接続されており、第２の低段側圧縮機１Ｂは、その吐出部が第１の低段側圧縮機１Ａの吸入部に配管接続されている。第２の低段側圧縮機１Ｂは、蒸発器８を流出した低圧冷媒を吸入し、第１の中間圧力になるまで圧縮して第１の低段側圧縮機１Ａに吐出する。第１の低段側圧縮機１Ａは、第２の低段側圧縮機１Ｂから吐出された第１の中間圧力の冷媒を吸入し、第１の中間圧力よりも高圧である第２の中間圧力になるまで圧縮して高段側圧縮機２に吐出する。高段側圧縮機２は、第１の低段側圧縮機１Ａから吐出された第２の中間圧力の冷媒を吸入し、高圧冷媒になるまで圧縮して放熱器３に吐出する。
【００７８】
第１の低段側圧縮機１Ａ及び第２の低段側圧縮機１Ｂのそれぞれは、制御装置５０によって回転数が自在に制御可能に構成されている。それぞれの圧縮機は、制御装置５０によって回転数が制御されることにより、冷媒吐出量を調整することができる。第１の低段側圧縮機１Ａは、インバータ４０Ａにより周波数が調整された交流電圧が印加されてその電動機部の回転速度が制御される。第２の低段側圧縮機１Ｂは、インバータ４０Ｂにより周波数が調整された交流電圧が印加されてその電動機部の回転速度が制御される。この場合、インバータ４０Ａ，４０Ｂは、バッテリまたは電源から直流電源または交流電源の供給を受け、制御装置５０により制御される。
【００７９】
（第９実施形態）
第９実施形態に係る複数段圧縮式冷凍サイクル装置１００Ｄは、図１２に示すように、第８実施形態の複数段圧縮式冷凍サイクル装置１００Ｃにおいて直列接続された第１の低段側圧縮機１Ａと第２の低段側圧縮機１Ｂを、並列に接続するサイクル構成を備える形態である。図１２は、第９実施形態に係る複数段圧縮式冷凍サイクル装置１００Ｄの概略構成を示す模式図である。第９実施形態の複数段圧縮式冷凍サイクル装置１００Ｄは、上記以外の実施形態、例えば、構成、各部の作動、作用効果等については第８実施形態と同様である。
【００８０】
（他の実施形態）
以上、本発明の好ましい実施形態について説明したが、本発明は上述した実施形態に何ら制限されることなく、本発明の主旨を逸脱しない範囲において種々変形して実施することが可能である。
【００８１】
上記実施形態において、低段側圧縮機１及び高段側圧縮機２はロータリー圧縮機としているが、本願発明に適用可能な複数段の圧縮機は上記実施形態で説明する圧縮機に限定するものではない。すなわち、本願発明に適用可能な複数段圧縮を可能とする各圧縮機は、圧縮機内部に貯留するオイルの液面が回転子の回転によって巻き上げられて外部に吐出される可能性のある構造を備える圧縮機であればよい。
【００８２】
上記実施形態において、低段側圧縮機１及び高段側圧縮機２は、インバータ等により周波数が調整された交流電圧が印加されてその電動機部の回転速度が制御される圧縮機であるが、このような圧縮機の他、低段側圧縮機１及び高段側圧縮機２は、例えば一定出力運転を行う圧縮機において、駆動源をＯＮ、ＯＦＦさせることにより断続運転を可能とするものであってもよい。
【００８３】
上記実施形態において、第１膨張弁６及び第２膨張弁７は、その開度が固定されている固定式の絞り弁としているが、制御装置５０からの制御信号に基づいて開度が自在に調整可能な（例えば全開から全閉まで可変することが可能な）減圧装置としてもよい。この場合には、例えば、膨張弁は、例えばパルス電流が供給されることにより正逆回転するパルスモータと、パルスモータによって駆動される弁体とを有し、その開度をパルスモータに供給されるパルス電流の極性及びパルス数に基づいて制御することができる。
【００８４】
また、複数段圧縮式冷凍サイクル装置１００の冷媒通路を流れる作動冷媒は、二酸化炭素に限定されるものではなく、例えばフロン等の他の冷媒であってもよい。
【００８５】
上記の第５実施形態は、上記の第２〜第４実施形態、第６〜第９実施形態の少なくとも一実施形態と組み合わせることが可能である。
【００８６】
本発明と同様の目的を達成できる手段として、図１３に示す複数段圧縮式冷凍サイクル装置１００Ｅがある。複数段圧縮式冷凍サイクル装置１００Ｅは、複数段圧縮式冷凍サイクル装置１００に対して、低段側圧縮機１の内部と、低段側圧縮機１の吸入側及び蒸発器８間の通路とを接続する連絡通路１３ａを備え、さらに連絡通路１３ａに減圧装置１３を備える。この構成において、複数段圧縮式冷凍サイクル装置１００Ｅの起動の際には、低段側圧縮機１を駆動した後、減圧装置１３の開度を制御して通路を狭めることにより低段側圧縮機１の内部を減圧する。これにより、低段側圧縮機１内部の貯留冷媒（寝込んだ冷媒）の蒸発が促進することになる。寝込み冷媒の蒸発が完了すると、その後に高段側圧縮機２の駆動を開始するようにすればよい。したがって、高段側圧縮機２の起動前に、低段側圧縮機１内部の寝込み冷媒を排出することが可能になる。
【００８７】
また、本発明と同様の目的を達成できる手段として、図１４に示す複数段圧縮式冷凍サイクル装置１００Ｆがある。複数段圧縮式冷凍サイクル装置１００Ｆは、複数段圧縮式冷凍サイクル装置１００に対して、低段側圧縮機１の内部と、低段側圧縮機１の吸入側及び蒸発器８間の通路とを接続する連絡通路１４ａを備え、さらに連絡通路１４ａにポンプ１４を備える。この構成において、複数段圧縮式冷凍サイクル装置１００Ｆの起動の際には、ポンプ１４を駆動することにより、低段側圧縮機１の内部を減圧する。これにより、低段側圧縮機１内部の貯留冷媒（寝込んだ冷媒）の蒸発が促進することになる。寝込み冷媒の蒸発が完了すると、その後に低段側圧縮機１及び高段側圧縮機２の駆動を開始するようにすればよい。
【符号の説明】
【００８８】
１…低段側圧縮機（低段側圧縮機構）
２…高段側圧縮機（高段側圧縮機構）
３…放熱器
５…内部熱交換器
６…第１膨張弁（減圧装置）
７…第２膨張弁（中間圧用減圧装置）
８…蒸発器
１１…油分離器
１２…均油回路
５０…制御装置
１００…複数段圧縮式冷凍サイクル装置
【図１】
0005510393.tif 000002
【図２】
0005510393.tif 000003
【図３】
0005510393.tif 000004
【図４】
0005510393.tif 000005
【図５】
0005510393.tif 000006
【図６】
0005510393.tif 000007
【図７】
0005510393.tif 000008
【図８】
0005510393.tif 000009
【図９】
0005510393.tif 000010
【図１０】
0005510393.tif 000011
【図１１】
0005510393.tif 000012
【図１２】
0005510393.tif 000013
【図１３】
0005510393.tif 000014
【図１４】
0005510393.tif 000015